(57)【要約】      （修正有）【課題】走行体と旋回体との位置決め、及び相互の連結を容易に行える分解型建設機械を提供する。【解決手段】油圧配管系統が収容される穴部が設けられたトラックフレーム７を有する走行体と、この走行体上に設けられ、旋回輪９を有する旋回体とを備え、運搬時には、旋回体と走行体とを分解して運搬可能な例えば小型油圧ショベルにおいて、旋回体の旋回輪９部分に設けた上部フランジ部１１と、走行体のトラックフレーム７の穴部部分に上部フランジ部１１に対向するように設けた下部フランジ部１２と、上部フランジ部１１と下部フランジ部１２とを互いに位置決めする脚部と丸穴部とを含む位置決め部と、この位置決め部によって位置決めされた上部フランジ部１１と下部フランジ部１２とを分解可能に締結するボルト３２及びボルト穴を含む締結部とを備えている。【選択図】図４
2016089574.tif 000002
【特許請求の範囲】
【請求項１】
油圧配管系統が収容される穴部が設けられたトラックフレームを有する走行体と、この走行体上に設けられ、旋回輪を有する旋回体とを備え、
運搬時には、前記旋回体と前記走行体とを分解して運搬可能な分解型建設機械において、
前記旋回体の前記旋回輪部分に設けた上部フランジ部と、前記走行体の前記トラックフレームの前記穴部部分に前記上部フランジ部に対向するように設けた下部フランジ部と、
前記上部フランジ部と前記下部フランジ部とを互いに位置決めする位置決め部と、
前記位置決め部によって位置決めされた前記上部フランジ部と前記下部フランジ部とを分解可能に締結する締結部とを備えたことを特徴とする分解型建設機械。
【請求項２】
請求項１に記載の分解型建設機械において、
前記位置決め部は、凸部と、この凸部に係合する凹部との組み合わせから成り、前記トラックフレームの前記穴部の外側に設けたことを特徴とする分解型建設機械。
【請求項３】
請求項２に記載の分解型建設機械において、
前記凸部は、前記旋回体の前記旋回輪部分に設けられ、前記走行体方向に延設された複数本の脚部から成り、
前記凹部は、前記走行体の前記トラックフレームに設けられ、前記脚部のそれぞれが個別に挿入される挿入部から成ることを特徴とする分解型建設機械。
【請求項４】
請求項３に記載の分解型建設機械において、
前記旋回体は、前記穴部に収容された前記油圧配管系統が接続されるセンタジョイントを備え、
前記脚部を３本以上設けるとともに、前記挿入部を前記脚部に対応した数設け、
前記脚部のそれぞれの長さ寸法を、前記旋回輪部分の下端から下方に突出する前記センタジョイントの高さ寸法よりも長く設定したことを特徴とする分解型建設機械。
【請求項５】
請求項４に記載の分解型建設機械において、
前記締結部は、前記上部フランジ部に形成した複数のボルト穴、及び前記上部フランジ部の前記複数のボルト穴に適合するように前記下部フランジ部に形成したボルト穴と、
前記上部フランジ部の前記ボルト穴、及び前記下部フランジ部の前記ボルト穴のそれぞれに挿入される複数のボルトとを含むことを特徴とする分解型建設機械。
【請求項６】
請求項１に記載の分解型建設機械において、
当該分解型建設機械は、前記旋回体に上下方向の回動可能に連結される作業装置を有する小型油圧ショベルから成ることを特徴とする分解型建設機械。
【請求項７】
請求項１に記載の分解型建設機械において、
当該分解型建設機械は、クレーン作業機から成ることを特徴とする分解型建設機械。
【発明の詳細な説明】
【技術分野】
【０００１】
本発明は、走行体と旋回体とを分解して運搬可能な油圧ショベル、クレーン作業機等の分解型建設機械に関する。
【背景技術】
【０００２】
この種の従来技術が特許文献１に開示されている。この特許文献１に開示された分解型建設機械は、油圧配管系統が収容される穴部を形成する第１の円筒体を有し、センタフレーム及びサイドフレームを含むトラックフレームを具備する走行体を備えている。走行体上には、旋回輪、及びこの旋回輪の下部に設けられ、前述した第１の円筒体に挿入される第２の円筒体を備えた旋回体を備えている。走行体の第１円筒体には複数の第１のピン孔が形成され、旋回体の第２円筒体には、第１のピン孔のそれぞれに適合可能な複数の第２のピン孔が形成されている。第１のピン孔のそれぞれと第２のピン孔のそれぞれとを適合させて、これらの第１のピン孔と第２のピン孔に複数のピンのそれぞれを挿入することにより走行体と旋回体とが組み立てられ、また、複数のピンの全てを引き抜くことにより、走行体と旋回体とは分解可能な状態となる。
【０００３】
この種の従来技術は、例えば空輸等の運搬に際しては、前述のピンが引き抜かれて走行体と旋回体とを分解した状態で、個々に運搬される。また、作業に際しては、作業現場などにおいて、前述した走行体側に設けられる第１の円筒体に、旋回体側に設けられる第２の円筒体が挿入され、前述したピンが第１の円筒体の第１のピン孔と、第２の円筒体の第２のピン孔に挿入されて、走行体と旋回体とが組み立てられ、所望の作業が行われる。
【先行技術文献】
【特許文献】
【０００４】
【特許文献１】特開２０１１−１７１６６号公報
【発明の概要】
【発明が解決しようとする課題】
【０００５】
前述した従来技術は、走行体と旋回体とを組み立てる際に、重量物である旋回体を垂直方向と水平方向に微妙に動かしながら、走行体の第１の円筒体の穴部内に旋回体の第２の円筒体を挿入し、第１の円筒体の複数のピン孔と第２の円筒体の複数の第２のピン孔とを適合させるようにして位置決めしながら、第１のピン孔と第２のピン孔に複数のピンを挿入して組み立てるようになっている。このため従来技術は、走行体と旋回体の組立作業が煩雑で時間がかかり、組立作業の能率向上を見込めない問題があった。
【０００６】
また前述した従来技術では、走行体の第１の円筒体に旋回体の第２の円筒体を、ガタの発生を生じ難いようにして挿入することが必要になるために、第１の円筒体及び第２の円筒体の機械加工精度を高めることが要求される。このために、製作費が高くなる問題があった。
【０００７】
本発明は、前述した従来技術における実情からなされたもので、その目的は、走行体と旋回体との位置決め、及び相互の連結を容易に行うことができる分解型建設機械を提供することにある。
【課題を解決するための手段】
【０００８】
この目的を達成するために、本発明は、油圧配管系統が収容される穴部が設けられたトラックフレームを有する走行体と、この走行体上に設けられ、旋回輪を有する旋回体とを備え、運搬時には、前記旋回体と前記走行体とを分解して運搬可能な分解型建設機械において、前記旋回体の前記旋回輪部分に設けた上部フランジ部と、前記走行体の前記トラックフレームの前記穴部部分に前記上部フランジ部に対向するように設けた下部フランジ部と、前記上部フランジ部と前記下部フランジ部とを互いに位置決めする位置決め部と、前記位置決め部によって位置決めされた前記上部フランジ部と前記下部フランジ部とを分解可能に締結する締結部とを備えたことを特徴としている。
【発明の効果】
【０００９】
本発明に係る分解型建設機械は、走行体と旋回体との位置決め作業と、走行体と旋回体との相互の連結作業とを個別の独立した作業とすることができる。これにより本発明は、走行体と旋回体との位置決め、及び相互の連結を容易に行うことができ、走行体と旋回体との組立作業の能率を従来よりも向上させることができる。また本発明は、位置決め部及び締結部を簡単な構成とすることができるので、従来に比べて製作費を低減させることができる。
【図面の簡単な説明】
【００１０】
【図１】本発明に係る分解型建設機械の一実施形態である小型油圧ショベルを示す側面図である。
【図２】本実施形態の要部を示す正面図である。
【図３】本実施形態の要部を示す側面図である。
【図４】本実施形態に備えられる旋回輪部分とトラックフレーム部分を組み立てた状態を示す斜視図である。
【図５】本実施形態に備えられるトラックフレーム部分を示す斜視図である。
【図６】本実施形態に備えられる旋回輪部分を示す図で、（ａ）図は斜視図、（ｂ）図は正面図である。
【図７】本実施形態に備えられる旋回フレーム部分を吊り上げた状態を示す側面図である。
【図８】本発明の別の実施形態に備えられるトラックフレーム部分を示す平面図である。
【発明を実施するための形態】
【００１１】
以下、本発明に係る分解型建設機械の実施の形態を図面に基づいて説明する。
【００１２】
図１は、本発明に係る分解型建設機械の一実施形態である小型油圧ショベルを示す側面図、図２は本実施形態の要部を示す正面図、図３は本実施形態の要部を示す側面図である。
【００１３】
本実施形態に係る分解型建設機械は、例えば小型油圧ショベルである。この小型油圧ショベルから成る本実施形態は、図１〜３に示すように、トラックフレーム７を含む走行体１と、走行体１上に配置された旋回体２と、この旋回体２に上下方向の回動可能に連結され、土砂の掘削作業等を行う作業装置３とを備えている。
【００１４】
旋回体２は、旋回輪９が取り付けられる旋回フレーム２ａを有し、この旋回フレーム２ａ上の前側位置には運転室２ｂが配置されている。旋回フレーム２ａの後側位置には、重量バランスを確保するカウンタウェイト２ｃが配置され、運転室２ｂとカウンタウェイト２ｃの間には、エンジン、油圧ポンプ等が収容されるエンジン室２ｄが配置されている。
【００１５】
図４は、本実施形態に備えられる旋回輪部分とトラックフレーム部分を組み立てた状態を示す斜視図、図５は本実施形態に備えられるトラックフレーム部分を示す斜視図、図６は本実施形態に備えられる旋回輪部分を示す図で、（ａ）図は斜視図、（ｂ）図は正面図である。
【００１６】
これらの図４〜６に示すように、本実施形態は、旋回体２の旋回輪９部分に設けた上部フランジ部１１と、走行体１のトラックフレーム７の油圧配管系統が収容される穴部８部分に上部フランジ部１１に対向するように設けた下部フランジ部１２とを備えている。また本実施形態は、上部フランジ部１１と下部フランジ部１２とを互いに位置決めする位置決め部と、この位置決め部によって位置決めされた上部フランジ部１１と下部フランジ部１２とを分解可能に締結する締結部とを備えている。
【００１７】
前述した位置決め部は、凸部と、この凸部に係合する凹部との組み合わせから成り、トラックフレーム７の穴部８の外側に設けてある。
【００１８】
前述した凸部は図６に示すように、旋回体２の旋回輪９部分、例えば旋回輪９の下端に設けた円筒体１０に上端が接続され、走行体１方向に延設された例えば丸棒製の複数本の脚部２０から成り、前述した凹部は図５に示すように、走行体１のトラックフレーム７に設けられ、丸棒から成る脚部２０のそれぞれが挿入される挿入部、例えば丸穴部２１から成っている。
【００１９】
本実施形態は、図６の（ｂ）図に示すように、トラックフレーム７の穴部８に収容される油圧配管系統が接続されるセンタジョイント２５を備え、脚部２０のそれぞれの長さ寸法を、旋回輪９部分の下端、すなわち旋回輪９に取り付けられた円筒体１０の下端から下方に突出するセンタジョイント２５の高さ寸法よりも長く設定してある。また脚部２０は、３本以上、例えば４本設けてある。
【００２０】
前述した締結部は、上部フランジ部１１に形成した複数のボルト穴３０、及びこれらのボルト穴３０のそれぞれに適合するように下部フランジ部１２に形成したボルト穴３１と、これらのボルト穴３０，３１のそれぞれに挿入される複数のボルト３２とを含んでいる。
【００２１】
このように構成した本実施形態は、図１に示すように組み立てられた状態において、走行体１の走行、旋回体２の旋回、及び作業装置３の駆動を選択的に実施することにより、土砂の掘削作業等を行うことができる。
【００２２】
また、空輸等の運搬に際しては、上部フランジ部１１に形成したボルト穴３０、及び下部フランジ部１２に形成したボルト穴３１のそれぞれからボルト３２を引き抜いて、走行体１と旋回体２を分解することが行われる。
【００２３】
このように分解した走行体１と旋回体２とが、例えば作業現場まで運搬され、所望の作業を実施する際には、例えば図７に示すように旋回体１側をワイヤ３５で吊り上げ、４本の脚部２０のそれぞれを対応する丸穴部２１に挿入させるようにして、走行体１と旋回体２との位置決めを行う。
【００２４】
このように位置決めされた後、旋回体２側の上部フランジ部１１に形成したボルト穴３０と、走行体１側の下部フランジ部１２に形成したボルト穴３１のそれぞれにボルト３２を挿入し、上部フランジ部１１と下部フランジ部１２との締結、すなわち連結を行う。このようにして図１に示すように、作業が可能な状態となる。
【００２５】
このように構成した本実施形態は、走行体１と旋回体２とを組み立てる際には、旋回体２の旋回輪９部分に設けた上部フランジ部１１と、走行体１のトラックフレーム７の穴部８部分に設けた下部フランジ部１２とを、脚部２０と、挿入部を形成する丸穴部２１との組み合せから成る位置決め部によって位置決めした後に、上部フランジ部１１と下部フランジ部１２をボルト３２とボルト穴３０，３１を含む締結部によって締結すればよい。すなわち本実施形態は、組立時における走行体１と旋回体２との位置決め作業と、走行体１と旋回体２との締結作業とを個別の独立した作業とすることができる。
【００２６】
これにより本実施形態は、走行体１と旋回体２の組み立て時の位置決め、及び相互の連結を容易に行うことができる。これに伴って本実施形態は、走行体１と旋回体２との組立作業の能率を向上させることができる。また、位置決め部は、脚部２０と丸穴部２１との組み合わせから成る機械精度の緩やかな簡単な構成とすることができる。また、締結部も、ボルト３２とボルト穴３０，３１を含む簡単な構成とすることができる。これらにより、本実施形態は製作費の低減が可能である。
【００２７】
また本実施形態は、位置決め部の凸部を形成する脚部２０と凹部を形成する丸穴部２１との組み合せを、トラックフレーム７の穴部８の外側に設けたことから、位置決めをした際に旋回体２を走行体１上に安定して載置させることができる。
【００２８】
また本実施形態は、位置決め部の凸部を形成する脚部２０を、例えば４本設け、凹部を形成する挿入部の一例として挙げた丸穴部２１を脚部２０に対応した数、すなわち４つ設け、脚部２０のそれぞれの長さ寸法を、旋回輪９に設けた円筒体１０の下端から下方に突出するセンタジョイント２５の高さ寸法よりも長く設定してある。これにより本実施形態は、例えば走行体１と旋回体２の組み立てに際し、図７に示すように吊り上げた旋回体２側の部分を平坦な場所に載置した際に、脚部２０によってセンタジョイント２５の接地を防ぐことができる。すなわち、センタジョイント２５が接地によって損傷しないように、脚部２０によって保護することができる。
【００２９】
図８は、本発明の別の実施形態に備えられるトラックフレーム部分を示す平面図である。
【００３０】
この図８に示す別の実施形態は、トラックフレーム７に設けられる位置決め部の凹部を、脚部２０の挿入が可能な切り欠き部４０によって構成してある。その他の構成は前述した実施形態と同等である。このように構成した別の実施形態にあっては、前述した実施形態と同等の作用効果が得られる他、位置決め部の凹部の製作を比較的容易に行うことができる。
【００３１】
なお、前述した各実施形態にあっては、位置決め部の凸部を形成する脚部２０を丸棒によって形成し、位置決め部の凹部を形成する挿入部を丸穴部２１によって構成したが、このような位置決め部を構成する凸部と凹部の組み合わせは各種の形態を採用することができる。例えば凸部を形成する脚部を角棒製とし、凹部を前述した角棒から成る脚部の挿入を可能とする角穴部によって構成することもできる。
【００３２】
また、前述した実施形態は、当該分解型建設機械が小型油圧ショベルから成るものであるが、本発明は、いわゆる中型油圧ショベル、及び大型油圧ショベルにも適用可能である。さらに本発明は、走行体及び旋回体を有し、これらの走行体と旋回体とが分解、組立可能なクレーン作業機等にも適用することができる。
【符号の説明】
【００３３】
１    走行体
２    旋回体
２ａ  旋回フレーム
２ｂ  運転室
２ｃ  カウンタウェイト
２ｄ  エンジン室
３    作業装置
４    ブーム
５    アーム
６    バケット
７    トラックフレーム
８    穴部
９    旋回輪
１０    円筒体
１１    上部フランジ部
１２    下部フランジ部
２０    脚部（凸部）〔位置決め部〕
２１    丸穴部（凹部）〔位置決め部〕
２５    センタジョイント
３０    ボルト穴（締結部）
３１    ボルト穴（締結部）
３２    ボルト（締結部）
３５    ワイヤ
４０    切り欠き部（凹部）〔位置決め部〕
【図１】
2016089574.tif 000003
【図２】
2016089574.tif 000004
【図３】
2016089574.tif 000005
【図４】
2016089574.tif 000006
【図５】
2016089574.tif 000007
【図６】
2016089574.tif 000008
【図７】
2016089574.tif 000009
【図８】
2016089574.tif 000010